(57)【特許請求の範囲】
【請求項１】
入力データを格納し、格納したデータを出力するバッフア回路と、
上記バッフア回路に格納されたデータを受け、このデータに少なくともフレーム同期信号、サブコードデータを付加し、さらにＥＦＭ変調して光ディスクに記録すべき記録データを生成するＥＦＭ変調回路と、
上記バッフア回路に格納されているデータの残量を判断するバッファ残量管理回路と、
上記バッファ残量管理回路の判断に従って光ディスクに対する記録動作を一時停止させると共に一時停止後に再開させる制御を行う記録制御回路と、
上記記録データが記録されている途中で記録動作が一時停止した光ディスクの再生動作によって、記録動作が一時停止したディスク位置を検出する記録再開位置検出回路とを具備し、
上記記録制御回路は、上記バッファ残量管理回路でバッファアンダーランが発生する状態になると判断されたときに、上記記録データのフレーム同期信号とサブコードデータを除くメインデータの任意の位置で上記光ディスクに対する記録動作を一時停止させる制御を行い、
さらに、上記記録制御回路は、上記バッファ残量管理回路でバッファアンダーランが発生する状態が解消したと判断されたときに、上記記録再開位置検出回路によって検出した記録再開位置に基づいて、一時停止によって生じた光ディスク上の記録データの終端に連続するように新たな記録データの記録動作を再開させる制御を行うことを特徴とする光ディスク記録再生装置。
【請求項２】
前記バッファ残量管理回路はサブコードブロック単位でバッファ残量を判断し、
前記記録制御回路は、バッファアンダーランが発生する状態になると判断したときに、サブコードの同期信号を含むＥＦＭフレーム以外のフレームで記録動作を一時停止させる制御を行うことを特徴とする請求項１記載の光ディスク記録再生装置。
【請求項３】
入力データをバッフア回路に一時的に格納し、格納したデータを出力させ、
上記バッフア回路から出力されるデータに少なくともフレーム同期信号、サブコードデータを付加し、さらにＥＦＭ変調して光ディスクに記録すべき記録データを生成し、
上記バッフア回路に格納されているデータの残量を判断し、バッファアンダーランが発生する状態になると判断された場合には、上記記録データのフレーム同期信号とサブコードデータを除くメインデータの任意の位置で上記光ディスクに対する記録動作を一時停止させ、バッファアンダーランが発生する状態が解消したと判断された場合には、上記光ディスクの再生によって記録動作が一時停止したディスク位置を検出し、この検出した記録再開位置に基づいて、一時停止によって生じた光ディスク上の記録データの終端に連続するように新たな記録データの記録動作を再開させることを特徴とする光ディスクの記録制御方法。
【請求項４】
前記バッフア回路に格納されているデータの残量を判断する際にサブコードブロック単位でバッファ残量を判断し、バッファアンダーランが発生する状態になると判断されて、光ディスクに対する記録動作を一時停止させる際に、サブコードの同期信号を含むＥＦＭフレーム以外のフレームで記録動作を一時停止させるようにしたことを特徴とする請求項３記載の光ディスクの記録制御方法。
【発明の詳細な説明】
【０００１】
【発明の属する技術分野】
この発明は、ライトワンス型の光ディスクをメディアとして用いる光ディスク記録再生装置及び光ディスクの記録制御方法に係り、特にバッファアンダーランによる記録中断前と記録再開後とで連続した記録データを繋ぐ際の記録方式を改良した光ディスク記録再生装置及び光ディスクの記録制御方法に関する。
【０００２】
【従来の技術】
データが記録できる光ディスクとして、記録層に有機色素を用いたライトワンス（write-once：１回だけ書き込み可能）型の光ディスクが知られている。このようなライトワンス型の光ディスクにはＣＤ−Ｒ（Recordable）などがある。
【０００３】
このようなライトワンス型の光ディスクに対して記録データを記録するには、例えばパーソナルコンピュータ（ＰＣ）から出力されるデータをバッフア回路で一時的に格納し、このバッフア回路に格納されているデータを順次読み出し、これに同期信号やサブコードデータ、誤り訂正符号などを付加してＥＦＭ（Eight to Fourteen Modulation）変換を行い、さらにこれを記録パルスに変換した後にレーザーピックアップに供給している。
【０００４】
ＣＤ−Ｒのようなライトワンス型の光ディスクは、ディスクに記録データを記録するデータ転送レートに対し、バッフア回路に供給する入力データのデータ転送レートが遅くなるバッファアンダーラン状態が発生する。このようなバッファアンダーラン状態の発生すると、記録するための記録データが途切れてバッファアンダーランエラーが発生する。このような場合、ディスクアットワンス（disk at once）やトラックアットワンス（track at once）のように、予め書き込むファイル群を指定する場合は、そのディスクが使用できなくなり、捨てなければならないという問題があった。
【０００５】
そこで、従来では、バッフア回路のデータ残量が残り少なくなったことをバッファアンダーラン判断手段によって検出し、ディスクに対する記録データの書き込みを中断し、バッフア回路のデータ残量が十分になった時点で、記録済みデータを再生し、記録済み領域の終端を記録再開位置検出回路によって検出し、中断する直前に書き込まれた記録データに連続する記録データの書き込みを未記録領域の先頭から再開することにより、上記のような問題を解消している。
【０００６】
ここで、まず、ＣＤフォーマットのデータ構造について説明する。
【０００７】
図４はＣＤフォーマットの１フレーム分のデータ構造（ＥＦＭフレームデータ）を示している。１０は２４ビットからなる同期信号（ＥＦＭフレーム同期信号）、１１は１シンボル（１４ビット）からなるサブコードデータ（サブコーディンク）であり、１２は３２シンボル（１４ビット×３２シンボル）からなるメインデータである。
【０００８】
ＥＦＭフレーム同期信号１０は、その後に続く３２シンボルからなるメインデータ１２の頭を見つけるために使用されるものであり、サブコードデータ１１は予め設定された順序に従って再生するプログラム機能を持たせるなどの目的のために使用される。なお、上記ＥＦＭフレーム同期信号１０、サブコードデータ１１及びメインデータ１２の他に、各シンボルを結合するために３ビットのデータが付加されるが、ここでは図示を省略した。
【０００９】
一方、上記サブコードデータ１１は１つのフレームに１だけ設けられており、９８個のフレームにそれぞれ設けられた９８個のサブコードデータにより１つのブロックを形成している。これはサブコードブロックと呼ばれており、図５にそのデータ構造を示している。このサブコードブロックにおいても、このブロックの頭を識別できるような同期信号が必要であり、フレーム１のサブコードデータに含まれているＳ0及びフレーム２のサブコードデータに含まれているＳ1からなる同期パターンがこれに相当している。フレーム１及び２のサブコードデータでは上記Ｓ0及びＳ1のみが使用され、残り９６フレームのサブコードデータは、Ｐi，Ｑi，Ｒi，Ｓi，Ｔi，Ｕi，Ｖi，Ｗi（ｉ＝１〜９６）からなり、これらＰi〜Ｗiのビット（ＥＦＭ変調前では８ビット）が各種アクセスのために使用される。
【００１０】
ところで、上記のようなＣＤフォーマットを持つ光ディスク記録再生装置において、記録データの記録中断と再開を行う際に、従来では、バッファアンダーラン状態の発生と解消をＥＦＭフレーム単位のバッファデータ量で判断し、ＥＦＭフレーム単位で記録の中断と再開の制御を行っていた。
【００１１】
すなわち、バッフア回路のデータ残量が残り少なくなってバッファアンダーラン状態が検出されると、図６に示すように、記録途中のＥＦＭフレームデータＦＲｉがディスクに記録された後に記録を一時停止し、その後、バッフア回路のデータ残量が十分になった時点で、記録が中断された次のフレームＦＲｉ＋１からＥＦＭフレームデータの記録を再開するようにしていた。
【００１２】
一方、光ディスク記録再生装置では、記録品位を一定に保つために、レーザー出力レベルを制御する機構が設けられており、記録の再開直後からレーザー出力レベルが安定するまでの間にタイムラグが発生する。
【００１３】
従って、図６のようにＥＦＭフレーム単位で記録データを繋いだ場合、記録開始直後からレーザー出力レベルが安定するまでの期間（図６中のレーザー出力レベル過渡応答期間）が長いと、記録を再開した最初のＥＦＭフレームの同期信号（ＥＦＭフレーム同期信号１０）やサブコードデータ１１は、レーザー出力レベルの乱れによって一定の品位で記録することができなくなる。
【００１４】
また、バッファアンダーラン状態の判断をＥＦＭフレーム単位で行うと、サブコードブロック内の何番目のフレームで繋ぐかが不定となる。そして、図７に示すように、サブコードブロックの同期信号（Ｓ0またはＳ1）を含むフレーム（１番目または２番目のフレーム）で繋いだ場合（図７では同期信号Ｓ0を含む１番目のフレームで繋いだ場合を例示している）に、レーザー出力レベル過渡応答期間がサブコード（図７ではサブデータと表示している）の期間まで続くと、サブコードブロックの同期信号が正しく記録されなくなる。
【００１５】
これらの同期信号、すなわちＥＦＭフレーム同期信号及びサブコードブロック内の同期信号Ｓ0またはＳ1は、ディスク再生における基準信号となるから、同期信号以外の記録データの記録品位が損なわれた場合と比較して、再生時のディスクモータやピックアップの制御機構やデータ再生機構に与える影響が大きくなる。
【００１６】
【発明が解決しようとする課題】
この発明は上記のような事情を考慮してなされたものであり、その目的は、バッファアンダーラン状態の発生と解消に基づくＥＦＭフレームデータの記録中断と再開の位置を、ＥＦＭフレームの同期信号及びサブコードブロック内の同期信号を避けた位置とすることにより、再生品位の高いディスク記録を実現することができる光ディスク記録再生装置及び光ディスクの記録制御方法を提供することである。
【００１７】
【課題を解決するための手段】
この発明の光ディスク記録再生装置は、入力データを格納し、格納したデータを出力するバッフア回路と、上記バッフア回路に格納されたデータを受け、このデータに少なくともフレーム同期信号、サブコードデータを付加し、さらにＥＦＭ変調して光ディスクに記録すべき記録データを生成するＥＦＭ変調回路と、上記バッフア回路に格納されているデータの残量を判断するバッファ残量管理回路と、上記バッファ残量管理回路の判断に従って光ディスクに対する記録動作を一時停止させると共に一時停止後に再開させる制御を行う記録制御回路と、上記記録データが記録されている途中で記録動作が一時停止した光ディスクの再生動作によって、記録動作が一時停止したディスク位置を検出する記録再開位置検出回路とを具備し、上記記録制御回路は、上記バッファ残量管理回路でバッファアンダーランが発生する状態になると判断されたときに、上記記録データのフレーム同期信号とサブコードデータを除くメインデータの任意の位置で上記光ディスクに対する記録動作を一時停止させる制御を行い、さらに、上記記録制御回路は、上記バッファ残量管理回路でバッファアンダーランが発生する状態が解消したと判断されたときに、上記記録再開位置検出回路によって検出した記録再開位置に基づいて、一時停止によって生じた光ディスク上の記録データの終端に連続するように新たな記録データの記録動作を再開させる制御を行うことを特徴とする。
【００１８】
この発明の光ディスクの記録制御方法は、入力データをバッフア回路に一時的に格納し、格納したデータを出力させ、上記バッフア回路から出力されるデータに少なくともフレーム同期信号、サブコードデータを付加し、さらにＥＦＭ変調して光ディスクに記録すべき記録データを生成し、上記バッフア回路に格納されているデータの残量を判断し、バッファアンダーランが発生する状態になると判断された場合には、上記記録データのフレーム同期信号とサブコードデータを除くメインデータの任意の位置で上記光ディスクに対する記録動作を一時停止させ、バッファアンダーランが発生する状態が解消したと判断された場合には、上記光ディスクの再生によって記録動作が一時停止したディスク位置を検出し、この検出した記録再開位置に基づいて、一時停止によって生じた光ディスク上の記録データの終端に連続するように新たな記録データの記録動作を再開させることを特徴とする。
【００１９】
【発明の実施の形態】
以下、図面を参照してこの発明に係る光ディスク記録再生装置及び光ディスクの記録制御方法を、ＣＤ−Ｒの記録再生装置及び記録制御方法に実施した場合を例にして説明する。
【００２０】
図１は、この発明に係るＣＤ−Ｒ記録再生装置の全体の回路構成を示すブロック図である。
【００２１】
２１は例えばパーソナルコンピュータから出力される記録データが供給されるインターフェース、２２はこのインターフェース２１を介して供給される記録データを一時的に格納し、格納したデータを順次読み出すエンコード用バッファ回路、２３は上記バッファ回路２２に格納されたデータに対してバリティデータを生成し、付加するバリティ付加回路である。
【００２２】
２４は、上記バッファ回路２２から読み出されるデータをＥＦＭ変調してディスクに記録すべき記録ＥＦＭデータを生成するＥＦＭ変調回路であり、ＣＤ−ＲＯＭの規格に基づく変調を行う場合、このＥＦＭ変調回路２４は、入力データにシンク、ヘッダ、ＣＤ−ＲＯＭデータ用の誤り検出符号のＥＤＣ（Error Detection Code）及び誤り訂正符号のＥＣＣ（Error Correction Code）を付加し、その後、ＣＤ方式の誤り訂正符号であるＣＩＲＣ（Cross Interleaved Reed-Solomon Codeの略）処理を施すと共に、サブコードを付加し、かつＥＦＭ（Eight to Fourteen Modulation）処理を施し、さらにフレーム同期信号を付加して記録データを生成する。
【００２３】
２５は、上記インターフェース２１、バリティ付加回路２３及びＥＦＭ変調回路２４それぞれにおけるバッファ回路２２のアクセス位置を検出し、バッファ回路２２のデータ残量を検出するバッファ残量管理回路であり、上記インターフェース２１、バリティ付加回路２３及びＥＦＭ変調回路２４それぞれにおけるバッファ回路２２のアクセス位置がアドレスとしてメモリ２６に記憶される。そして、必要に応じてメモリ２６の内容がバッファ残量管理回路２５に読み出され、このメモリ２６の内容に基づいて、バッファ回路２２に格納されているデータ残量をサブコードブロック単位で監視し、ディスクに記録データを記録するデータ転送レートよりも入力データのデータ転送レートが遅くなるバッファアンダーランが発生する状態になること及びバッファアンダーランが発生する状態が回避されたことを判断する。
【００２４】
ここで、例えば、バッファ残量管理回路２５は、インターフェース２１を介してバッファ回路２２に格納される記録データの末尾アドレスと、バッファ回路２２からＥＦＭ変調回路２４に読み出された記録データの末尾アドレスとをメモリ２６から読み出し、両末尾アドレスを比較することによってバッファ回路２２におけるデータ残量を検出し、バッファアンダーランが発生する状態か否かを判定する。
【００２５】
２７は上記ＥＦＭ変調回路２４で生成された記録ＥＦＭデータに基づいて記録パルスを生成する記録パルス生成回路であり、ここで生成された記録パルスはレーザードライバ２８に送られる。レーザードライバ２８は、記録パルス生成回路２７で生成される記録パルスに基づいて、ディスクへの記録を行うべくレーザーピックアップ２９のレーザー光源を駆動する。
【００２６】
レーザーピックアップ２９は、ディスクをトレースするためのレーザービームを出射し、ディスクに対して記録データの書き込み及び読み出しを行う。
【００２７】
３０はこのレーザーピックアップ２９によりディスクの記録データを読み取ることによって得られるＲＦ信号を増幅し、２値化してデジタルデータとして出力するＲＦアンプであり、３１はＲＦアンプ３０から出力されるデジタルデータを復調して再生ＥＦＭデータを出力すると共にＥＦＭフレーム同期信号及びサブコードデータ内の同期信号Ｓ０，Ｓ１からなる再生同期信号を検出するＥＦＭ復調回路である。
【００２８】
３２は、ＶＣＯ（Voltage Controlled Oscillator）を有し、ＥＦＭデータを再生したクロック信号に基づいて、ディスクの再生に係る動作全般のシステム制御に用いられる再生用クロック信号を発生する再生用クロック信号発生回路である。
【００２９】
また、３３はＲＦアンプ３０を介して得られるディスクのプリグルーブ（Pre-groove）信号からウォブル（wobble）成分を抽出し、ディスクの回転制御に必要な成分を生成すると共に、ウォブル成分からＡＴＩＰ（Absolute Time In Pre-groove）を復調するＡＴＩＰ復調回路である。
【００３０】
３４は、上記ＥＦＭ復調回路３１から出力される再生ＥＦＭデータ及びメモリ２６から読み出されるアドレスデータを受けて、ディスクに記録データが記録されていない未記録領域の先頭を検出し、ディスクにおける記録データの記録を開始する記録開始位置を検出して記録再開タイミング信号を出力する記録開始位置検出回路である。
【００３１】
また、３５は、上記バッファ残量管理回路２５からのバッファ残量に応じたデータ、ＥＦＭ復調回路３１からの再生同期信号、ＡＴＩＰ復調回路３３からの記録再開タイミング信号及び記録開始位置検出回路３４からの記録再開タイミング信号を受け、これらのデータ及び信号に基づいてＥＦＭ変調回路２４の動作を初期化する制御を行うと共に記録パルス生成回路２７における記録パルスの生成動作の一時停止及び再開動作を制御する記録制御回路である。
【００３２】
また、３６はディスクの記録に係る動作全般のシステム制御に用いられる動作クロックを発生する記録クロック信号発生回路である。
【００３３】
なお、メモリ２６から読み出されるアドレスデータはＥＦＭ変調回路２４にも供給される。
【００３４】
このような構成の光ディスク記録再生装置において、記録動作が実行されると、記録クロック信号発生回路３６は記録用クロック信号を発生する状態になり、図１中に破線で囲まれた領域内の各回路はこの記録用クロック信号に同期して動作する状態になる。
【００３５】
また、レーザーピックアップ２９はディスク再生を行うレーザー出力によりディスクのプリグルーブ信号を読み取るように制御され、読み取られたプリグルーブ信号はＲＦアンプ３０により波形整形された後、ＡＴＩＰ復調回路３３によりウォブル成分が抽出され、そのウォブル成分からＡＴＩＰが復調されるようになる。
【００３６】
また、パーソナルコンピュータからディスクに記録するために出力される記録データが、インターフェース２１を介してエンコード用バッファ回路２２に供給され、かつこのバッファ回路２２から読み出されてＥＦＭ変調回路２４によりディスクに記録するべき形態の記録ＥＦＭデータに変調される。
【００３７】
レーザーピックアップ２９のレーザービームによりトレースされる位置がディスクの書き込み位置に来ると、ＥＦＭ変調回路２４からＥＦＭ変調された記録データが順次出力され、その出力された記録ＥＦＭデータに対応するアドレスを示すアドレスデータがメモリ２６で順次更新されて記憶される。
【００３８】
レーザードライバ２８はＥＦＭ変調回路２４から出力された記録ＥＦＭデータに基づいてレーザーピックアップ２９のレーザー光源を駆動し、それにより記録データのディスクへの記録が行われる。
【００３９】
ディスクの記録時において、記録クロック信号発生回路３６は記録用クロック信号を発生しており、この記録用クロック信号に同期して記録データの記録が行われる。
【００４０】
ところで、パーソナルコンピュータから出力される記録データの転送速度がディスクに記録される記録データの書き込み速度に追いつかない状態となり、ＥＦＭ変調回路２４に出力されるデータ転送レートに比べてバッファ回路２２に入力されるデータ転送レートが低速になると、バッファ回路２２に格納されるデータの残量が減少してくる。
【００４１】
この状態が続くと、やがてバッファ回路２２に格納されているデータ残量が残り少なくなり、エンプティ状態が発生する。すると、バッファア残量管理回路２５はメモリ２６に記憶されているアドレスデータに基づいてバッファアンダーランが発生する状態であると判断し、その旨をバッファ残量データにより記録制御回路３５に知らせる。このバッファ残量データを受けると、記録制御回路３５によりディスクへの記録を中断する判断が行われ、ＥＦＭ変調回路２４に対して位相初期信号を出力してＥＦＭ変調回路２４から記録ＥＦＭデータが出力されるのを中断させると共に、記録実行／停止信号によって記録パルス生成回路２７における記録パルスの生成動作を一時停止させる。
【００４２】
このとき、図２に示すように、ＥＦＭフレームデータを構成するＥＦＭフレーム同期信号及びそれに続くサブコードデータを除く任意のシンボルのメインデータがＥＦＭ変調回路２４から出力された後に、ＥＦＭ変調回路２４からの記録ＥＦＭデータの出力を中断させるように制御される。なお、この記録の一時停止の際は、常に、第１シンボル目のメインデータ（メインデータ（１））が出力された後に、ＥＦＭ変調回路２４からの記録ＥＦＭデータの出力が中断させる場合を例示している。
【００４３】
この結果、レーザーピックアップ２９のレーザー光源から書き込みビームが出射されるのが停止され、ディスクへの記録が中断される。
【００４４】
ここで、ＥＦＭ変調回路２４から記録ＥＦＭデータが出力されるのが中断されると、記録中断の直前にＥＦＭ変調回路２４から出力された記録ＥＦＭデータの最終フレームのアドレスに対応するアドレスデータがバッファ残量管理回路２６を介してメモリ２６に記憶される。
【００４５】
次に、パーソナルコンピュータから次の記録データが入力されると、図示しないアクセス制御手段により、記録データの記録動作が中断される直前までにディスクに記録された記録データをＡＴＩＰ復調回路３３により復調されるＡＴＩＰに基づいてアクセスし、レーザーピックアップ２９によるトレースを開始する。
【００４６】
このトレース中に、予め記録データが記録されることによりディスクに形成されているピット信号が同時に読み取られ、このピット信号に基づいてＥＦＭ復調回路３１で再生ＥＦＭデータが得られるようになると、再生クロック信号発生回路３２は再生ＥＦＭデータに同期した再生用クロック信号を発生するようになる。すると、この再生用クロック信号に同期して、図１において破線で囲まれた領域内の各回路が動作する状態になり、ＥＦＭ変調回路２４による変調処理も再生用クロック信号に同期して行われる状態となる。
【００４７】
ＥＦＭ変調回路２４による変調処理が再生用クロック信号に同期して行われる状態になると、ＥＦＭ変調回路２４はメモリ２６に記憶されたアドレスを参照することにより、記録中断の直前にディスクに記録された最終フレームの第２シンボル目のメインデータ（図２中のメインデータ（２））を出力する待機状態となる。
【００４８】
ＥＦＭ変調回路２４が待機状態になると、メモリ２６に記憶されたアドレスを参照して、記録開始位置検出回路３４によりディスクに記録データが既に記録されている既記録領域直後の未記録領域の先頭位置の検出が行われる。
【００４９】
この未記録領域の先頭位置の検出は、サブＱデータ（先に説明したＱiに相当）の時間情報とその時間情報におけるＥＦＭフレームの何番目であるかにより行われ、サブコードブロック（ＥＦＭフレーム９８個分の集合）の単位まではサブＱデータにより検索し、ＥＦＭフレーム単位は同期信号を基準としてチャンネルビットをカウントすることによりディスクに記録された記録データの最終フレームの末端を判断して行われる。
【００５０】
未記録領域の先頭位置の検出が行われると、図示しない手段より、クロック信号が、再生クロック信号発生回路３２からの再生ＥＦＭデータに同期した再生用クロック信号に代わって、記録クロック信号発生回路３６で発生される記録用クロック信号に切り替えられ、記録用クロック信号がＥＦＭ変調回路２４の動作クロックとなる。
【００５１】
クロック信号が再生用クロック信号から記録用クロック信号に切り替わると、記録制御回路２４の制御により同時にＥＦＭ変調回路２４から記録ＥＦＭデータ（図２中のメインデータ（２））が出力されるようになり、先に記録動作が中断した同じＥＦＭフレーム内のメインデータ（２）からディスクに対して記録が再開される。この場合、ディスクに既に記録されている記録データとＥＦＭ変調回路２４から出力される記録ＥＦＭデータとの同期が取られる。従って、図２に示すように、記録が中断される直前までにディスクに記録された最終の記録データの終端に連続するように新たな記録データが記録される。
【００５２】
ここで、図２に示されるように、記録動作が一時停止する前に記録されたＥＦＭフレームにおけるＦＭフレーム同期信号１０は、一時停止前に一定の品位で記録される。
【００５３】
一方、記録動作の再開後では、メインデータの２シンボル目の頭からレーザー出力レベルが安定するまでの期間、記録データを一定の品位で記録することができないが、次のＥＦＭフレームにおけるＥＦＭフレーム同期信号の記録までに、メインデータ３０シンボル分というレーザー出力レベルの安定化な十分な時間があるので、次のＥＦＭフレーム同期信号も一定の品位で記録することができる。
【００５４】
さらに、記録データの一時停止と記録再開を行う際に、記録制御回路３５は記録データの接続位置をサブコードブロックの同期信号Ｓ0，Ｓ1を避けた任意の位置に設定して記録制御を行う。図３に、接続位置をサブコードブロックの３番目に固定した場合の動作例を示す。
【００５５】
図３においては、サブコードブロック同期信号は記録動作の一時停止直前に一定の品位で記録される。一方、メインデータの２シンボル目からレーザー出力レベルが安定するまでの期間が長く、記録データを一定の品位で記録することができない期間が長くなることによって、ディスク再生時にフレーム同期ずれが発生した場合でも、次のサブコードブロック同期信号を記録するまでには、９６ＥＦＭフレーム分というＥＦＭフレーム同期信号への再同期化に十分な時間があり、次のサブコードブロック同期信号も安定して再生することができる。
【００５６】
このように上記実施の形態によれば、ＥＦＭフレーム同期信号及びサブコードブロック同期信号を安定に記録することができるので、再生品位の高いディスク記録を実現することができる
なお、この発明は上記実施の形態に限定されるものではなく種々の変形が可能であることはいうまでもない。例えば上記実施の形態では、ディスクに対する記録動作の一時停止位置がメインデータの第１シンボルとの第２シンボルとの間である場合について説明したが、これは要するにフレーム同期信号とサブコードデータを除くメインデータの任意の位置であればどの位置であってもかまわない。また、上記実施の形態では、記録データの一時停止と記録再開を行う際に、記録データの接続位置をサブコードブロックの３番目に固定した場合について説明したが、これは要するに同期信号Ｓ0，Ｓ1を避けた位置であればよく、サブコードブロックの３番目に限定されるものではない。
【００５７】
【発明の効果】
以上説明したようにこの発明によれば、バッファアンダーラン状態の発生と解消に基づくＥＦＭフレームデータの記録中断と再開の位置を、ＥＦＭフレームの同期信号及びサブコードブロック内の同期信号を避けた位置とすることにより、再生品位の高いディスク記録を実現することができる光ディスク記録再生装置及び光ディスクの記録制御方法を提供することができる。
【図面の簡単な説明】
【図１】この発明に係るＣＤ−Ｒ記録再生装置の全体の回路構成を示すブロック図。
【図２】図１の記録再生装置を用いて記録を行う際の動作を説明するための図。
【図３】図１の記録再生装置を用いて記録を行う際の動作を説明するための図。
【図４】ＣＤフォーマットの１フレーム分のデータ構造（ＥＦＭフレームデータ）を示す図。
【図５】サブコードブロックのデータ構造を示す図。
【図６】従来の方法によって記録を行う際の動作を説明するための図。
【図７】従来の方法によって記録を行う際の動作を説明するための図。
【符号の説明】
２１…インターフェース、
２２…エンコード用バッファ回路、
２３…バリティ付加回路、
２４…ＥＦＭ変調回路、
２５…バッファ残量管理回路、
２６…メモリ、
２７…記録パルス生成回路、
２８…レーザードライバ、
２９…レーザーピックアップ、
３０…ＲＦアンプ、
３１…ＥＦＭ復調回路、
３２…再生用クロック信号発生回路、
３３…ＡＴＩＰ復調回路、
３４…記録開始位置検出回路、
３５…記録制御回路、
３６…記録クロック信号発生回路
【図１】
0003742286.tif 000002
【図２】
0003742286.tif 000003
【図３】
0003742286.tif 000004
【図４】
0003742286.tif 000005
【図５】
0003742286.tif 000006
【図６】
0003742286.tif 000007
【図７】
0003742286.tif 000008